(57)【特許請求の範囲】
【請求項１】
被服の所期の使用時に着用者の上半身を覆う部分（２）を有し、所期の使用時にクライメート区画（３）が着用者の各脇下部分（４）を覆う領域に配置され、前記クライメート区画（３）は、相互に平行に配置され、被服の所期の使用時に着用者の肌に接触する複数のフィン（５）を備え、前記フィン（５）は前記被服の基材（６）上に規定の高さ（ｈＦ）で延在する運動用被服であって、
前記フィン（５）は全部のフィン（５）に関する包絡面（７）が前記被服の前記基材（６）に対して直角な方向から視て凧形または菱形を有するように配置され、
所定の距離（ｂ）で隣接し合う２本のフィン（５）の組みから成る２本フィン組の群（５’）または所定の距離（ｂ）で隣接し合う３本のフィン（５）の組みから成る３本フィン組の群（５’’）が前記クライメート区画（３）に配置され、前記２本フィン組の群（５’）とその２本フィン組の群（５’）に隣接する他の前記２本フィン組の群（５’）との間の間隔である群間距離（ａ）または前記３本フィン組の群（５’’）とその３本フィン組の群（５’’）に隣接する他の前記３本フィン組の群（５’’）との間の間隔である距離（ａ）は少なくとも７ｍｍであり、前記距離（ａ）は前記距離（ｂ）より大きい
ことを特徴とする運動用被服（１）。
【請求項２】
前記凧形または菱形の包絡面（７）は垂直方向（Ｖ）に高さ（ＨＥ）及び水平方向（Ｈ）に幅（ＷＥ）を有し、前記高さ（ＨＥ）は前記幅（ＷＥ）の１２０％〜１６０％である
請求項１に記載の運動用被服。
【請求項３】
前記クライメート区画（３）を含む着用者の上半身を覆う部分全体は編成工程により作製される
請求項１または２に記載の運動用被服。
【請求項４】
単一フィン（５）が前記クライメート区画（３）に配置され、前記単一フィン（５）は、隣接する他の単一フィン（５）と前記２本フィン組の群（５’）と前記３本フィン組の群（５’’）のいずれとも、少なくとも７ｍｍの距離（ａ）だけ離間される
請求項１ないし３のいずれかに記載の運動用被服。
【請求項５】
前記２本フィン組の群（５’）の前記フィン（５）は水平方向（Ｈ）に延び、その水平方向（Ｈ）の長さ（Ｌ）は５０ｍｍ〜９０ｍｍである
請求項１ないし４のいずれかに記載の運動用被服。
【請求項６】
前記３本フィン組の群（５’’）の前記フィン（５）は水平方向（Ｈ）に延び、その水平方向（Ｈ）の長さ（Ｌ）は８０ｍｍ〜１２０ｍｍである
請求項１ないし５のいずれかに記載の運動用被服。
【請求項７】
単一フィン（５）が前記包絡面（７）の上側領域（Ｕ）及び／または下側領域（Ｂ）に配置され、２本フィン組の群（５’）は、前記包絡面（７）の中央領域（Ｃ）に配置されるとき、前記単一フィン（５）に続いて位置し、少なくとも１つの３本フィン組の群（５’’）が前記包絡面（７）の前記中央領域（Ｃ）に配置される
請求項４ないし６のいずれかに記載の運動用被服。
【請求項８】
２本フィン組の群（５’）または３本フィン組の群（５’’）の場合、該群（５’、５’’）中の前記フィン（５）は最大で２ｍｍの距離で隣接して配置される
請求項１ないし７のいずれかに記載の運動用被服。
【請求項９】
前記フィン（５）はユーザの肌に面する側の前記基材（６）の側面に連続状に延びる
請求項１ないし８のいずれかに記載の運動用被服。
【請求項１０】
接続布部（８）がユーザの肌から離反する側の前記基材（６）の側面に配置され、前記接続布部（８）は前記フィン（５）の底面を橋絡する
請求項１ないし９のいずれかに記載の運動用被服。
【請求項１１】
前記包絡面（７）の前記高さ（ＨＥ）は１４０ｍｍ〜２００ｍｍである
請求項１ないし１０のいずれかに記載の運動用被服。
【請求項１２】
前記包絡面（７）の前記幅（ＷＥ）は１２０ｍｍ〜１５０ｍｍである
請求項１ないし１１のいずれかに記載の運動用被服。
【請求項１３】
前記フィン（５）はポリエステル糸及びポリアミド糸で作製される
請求項１ないし１１のいずれかに記載の運動用被服。
【発明の詳細な説明】
【技術分野】
【０００１】
本発明は、被服の所期の使用時に着用者の上半身を覆う部分を有し、所期の使用時にクライメート区画が着用者の各脇下部分を覆う領域に配置される、運動用被服に関する。
【背景技術】
【０００２】
一般的な種類の運動用被服は特許文献１により公知となっている。この文献中、着用者の上半身を覆う被服小片には、クライメート区画が異なる部分に設けられている。クライメート区画はまた、脇下部分に提供されている。脇下部分のクライメート区画の形状に関して、特有のデザインは何ら示唆されていない。
【０００３】
特に脇下部分では緩冷効果があらゆる場合に十分ではないことが判明した。
【先行技術文献】
【特許文献】
【０００４】
【特許文献１】独国実用新案出願公開第２０２００６００１３８０（Ｕ１）号明細書
【発明の概要】
【発明が解決しようとする課題】
【０００５】
したがって、本発明の目的は、効率的な緩冷効果が得られるように脇下部分、即ち腋下領域、での向上した冷却効果を可能にする上述の種類の運動用被服を提案することにある。汗の蒸発は身体の緩冷が向上するように容易でなければならない。
【課題を解決するための手段】
【０００６】
本発明によるこの目的に対する解決手段は、脇下部分のクライメート区画は、相互に平行に配置され、被服の所期の使用時に着用者の肌に接触する複数のフィンを備え、フィンは被服の基材上に規定の高さに沿って延在し、フィンは全部のフィンに関する包絡面が被服の基材に対して直角な方向から視て凧形または菱形（ダイヤモンド形）を有するように配置されることを特徴とする。
【０００７】
フィンの包絡面は、単一フィンの全端部箇所を仮想線により接続したときに得られる形状として理解するべきである；この仮想線の形状は更に凧形または菱形（ダイヤモンド）を形成する。
【０００８】
好ましくは、凧形または菱形の包絡面は垂直方向に高さ及び水平方向に幅を有し、高さは幅の１２０％〜１６０％、特に１３０％〜１５０％である。
【０００９】
クライメート区画を含む着用者の上半身を覆う部分全体は編成工程により作製可能である。
【００１０】
単一フィンがクライメート区画に配置可能であり、単一フィンは少なくとも７ｍｍの距離だけこれに続くフィンから離間される。
【００１１】
更に、少なくとも１つの２本フィン群がクライメート区画に配置可能であり、該２本フィン群は少なくとも７ｍｍの距離だけこれに続くフィンから離間される。それにより、２本フィン群のフィンの水平方向長さは、好ましくは５０ｍｍ〜９０ｍｍである。
【００１２】
更なる代替的実施例では、少なくとも１つの３本フィン群がクライメート区画に配置され、３本フィン群は少なくとも７ｍｍの距離だけこれに続くフィンから離間されることが提供される。それにより、３本フィン群のフィンの水平方向長さは、好ましくは８０ｍｍ〜１２０ｍｍである。
【００１３】
本発明の好ましい特有の実施形態では、単一フィンが包絡面の（垂直方向の）上側領域及び／または（垂直方向の）下側領域に配置され、２本フィン群は、包絡面の（垂直方向の）中央領域に向かって前方に移動するとき、単一フィンに続いて位置し、少なくとも１つの３本フィン群が包絡面の中央領域に配置されることが示唆される。
【００１４】
２本フィン群または３本フィン群の場合、群中のフィンは最大で２ｍｍ、好ましくは最大で１ｍｍの距離で隣接して配置可能である。
【００１５】
フィンは好ましくは、ユーザの肌に面する側の基材の側面に連続状に延びる。
【００１６】
他方、接続布部をユーザの肌から離反する側の基材の側面に配置し、接続布部がフィンの底面を橋絡することも可能である。そうすることにより、フィンは布部によって適所に保持される織布の襞部分により形成し得る。
【００１７】
包絡面の高さは好ましくは、１４０ｍｍ〜２００ｍｍである。包絡面の幅は好ましくは、１２０ｍｍ〜１５０ｍｍである。
【００１８】
フィンは好ましくは、ポリエステル糸及びポリアミド糸で作製される。
【００１９】
好ましくは、被服は着用者の身体にぴったりまたはきっちりと合うように生成される。更に、被服の縫い目無しのデザイン（袖を除く）が好ましい。
【００２０】
本発明はこのように水分蓄積フィンまたは突出部を提供するものであり、これらは好ましくは編成に（そういうものとして公知である）電子式円形シームレス機械装置を使用して構築され；フィンは、好ましくはダイヤモンド形状の完全な脇下部分上に位置付けられ、この区画の高さは好ましくはその幅の１．４倍である。
【００２１】
クライメート区画は好ましくは、追加の編成構成体を作成して織布に基本的にはその中に襞としてのフィンを作成するように表糸を保持することにより構築される。
【００２２】
好ましくは、主要構成要素には、少なくとも裏面にポリエステル繊維及び表面にポリアミド繊維を含み；基材層はまた「エラスタン」糸を含み得る。
【００２３】
好ましくは、完全な脇下部分は高通気性のメッシュ構成体を編成することにより構築される。フィンまたは突出部は好ましくは、高通気性のメッシュ材料によりそれらが全体的に包囲される。
【００２４】
フィン（突出部）は好ましくは増加的な群中に配分され、ダイヤ形状部分、即ちフィンの包絡面、の中央に接近する方向に増加する数のフィンが共に束ねられ、最大で３本フィンが共に束ねられるが最小では１本フィンである。
【００２５】
３本フィンが寄せ集められた束中であってフィン主軸の長手方向には、当該束の縁部には好ましくは２本のフィンが共に束ねられて、これに続く縫合ノードに３本のフィンが集められて、皺より効果が低減される。
【００２６】
３本の隣接フィン（３本フィンを有する群）の場合、その長手方向長さは少なくとも９０ｍｍであることが好ましい。２本の隣接フィン（２本フィンを有する群）の場合、フィンの長さは５０ｍｍ〜９０ｍｍであることが好ましい。
【００２７】
フィンは、これらのフィン部分に水分を蓄積させるために作成されるものであって、被服の脇下部分にじかに位置する。最大量の汗を生じる身体のほてる部分はそれにより熱カメラ撮像法によって識別される。上述の精巧加工の脇下構成体と製品上のメッシュ部分領域との組合せにより、熱放散の向上は促進される。
【００２８】
提案に係る解決手段により水分交換が向上し得るため、運動時の被服着用の快適さは増進されることになる。
【００２９】
本発明の実施形態を図面に示すことにする。
【図面の簡単な説明】
【００３０】
【図１】着用者の上半身を覆う運動用被服の斜視図
【図２】袖を上に上げた被服の脇下部分の領域（図１中の「Ｙ」視）の説明図
【図３】図２による詳細部「Ｘ」の拡大図
【図４】図３によるＡ−Ｂ断面図
【図５】図３によるＣ−Ｄ断面図
【発明を実施するための形態】
【００３１】
運動用被服１及びその詳細を図に示す。運動用被服１は本例では、被服１の所期の使用時に着用者の上半身を覆う部分２を有するシャツを対象とする。２本の袖９が設けられ；袖９の下方には脇下部分４が位置する。各脇下部分には単一のクライメート区画３が設けられる。
【００３２】
図１中に水平方向Ｈと共に垂直方向Ｖを標記するが、これらは地上に直立した着用者により被服１が着用されたときの垂直及び水平方向として理解すべきである。
【００３３】
被服１の外面の一部、特に脇下部分４の下方の部分を図２に示すが、同図では袖９は上に上げられている。
【００３４】
このように、脇下部分４下のクライメート区画３が相互に平行に配置された複数のフィン５を有することが図２から見てとれる。フィン５は水平方向Ｈにある特定の延在範囲を有し；フィン５の長さはＬで標記することとする。フィン５の端部を仮想線により接続すると、凧またはダイヤの形状を有する包絡面７が作成される。フィン５は被服１を構成する平坦な基材６上に配置される。フィン５は基材６から着用者の身体（肌）に突出する（図４及び図５も参照のこと）。
【００３５】
図２中に、包絡面７、したがってフィン５のデザイン、のある特定の特徴が見てとれる。包絡面７は垂直方向Ｖに高さＨE及び水平方向Ｈに幅ＷEを有する。包絡面７の垂直方向延在範囲は上側領域Ｕ、下側領域Ｂ、及び中央領域Ｃとして区別し得る。各領域Ｕ、Ｃ、及びＢは包絡面７の全高ＨEの約３分の１に沿って延在することになる。
【００３６】
図３〜図５はフィン５のデザイン詳細を示す。図３は図２の拡大図、即ち「Ｘ」部、したがって被服１のユーザの肌から離反する側に向いた被服１の外面を示す。
【００３７】
このため、図４及び図５による断面図中、基材６の左側面は着用者の肌から離反する側に向いた側面である一方、基材６の右側面は着用者の肌（身体）に向いた側面である。
【００３８】
図２中に見てとれるように、単一フィン５は２本フィン５の群５’及び３本フィン５の群５’’と共に配置し得る。図３〜図５中に、そのような３本フィン５の群５’’を詳細に示すが、これらの図に示すデザインは単一フィン及び２本フィンの群に対しても同様に適用される。
【００３９】
図２中に見てとれるように、各場合に、単一フィン５、２本フィン５の群５’または３本フィン５の群５’’は距離「ａ」だけ相互に離間される。この距離の好ましい値は、少なくとも７ｍｍ、好ましくは１０ｍｍである。
【００４０】
図４及び図５で、各フィン５が、好ましくは１〜３ｍｍである高さｈFだけ基材６から突出していることが見てとれる。（図３〜図５に示すように）フィン群５’、５’’に関して、２本の隣接フィン５間の距離は小さく、好ましくは１ｍｍ未満である。
【００４１】
フィン５はそれらの水平方向延在範囲に沿って連続状に着用者の肌に面する側面に延びるが、このことは被服１の外面に関しては該当しない。本例では、約１〜３ｍｍの水平方向Ｈの延在範囲を有し、約２〜５ｍｍの水平距離に配置される接続布部８が織成される。
【００４２】
接続布部８はフィン群５’’のフィン５を橋絡する。
【００４３】
着用者の上半身を覆う部分２及びクライメート区画３全体は、電子制御式編成工程により一体的に生成される。
【００４４】
本提案に係る被服小片は、緩冷系として上下に着用する他の被服小片と組合せ得る。
【００４５】
本発明の特有の実施形態は、一方でフィン５及び他方で基材６に対して、異なる材料を提示する。
【符号の説明】
【００４６】
１  運動用被服 
２  上半身を覆う部分
３  クライメート区画
４  脇下部分（腋の下）
５  フィン
５’  ２本フィン群
５’’  ３本フィン群
６  基材
７  全フィンに関する包絡面
８  接続布部
９  袖
ｈF  フィンの高さ
ＨE  包絡面の高さ
ＷE  包絡面の幅
ａ  距離
ｂ  距離
Ｌ  フィンの長さ
Ｖ  垂直方向
Ｈ  水平方向
Ｕ  包絡面の上側領域
Ｂ  包絡面の下側領域
Ｃ  包絡面の中央領域
【図１】
0006596104.tif 000002
【図２】
0006596104.tif 000003
【図３】
0006596104.tif 000004
【図４】
0006596104.tif 000005
【図５】
0006596104.tif 000006